(57)【要約】      （修正有）【課題】デジタル画像をプリントした紙媒体を、画像読取装置により再度デジタル化する際に、画像の経年劣化による退色を補うように画像を補正する際の利便性と再現性とを向上させる。【解決手段】画像記憶装置１からＰＣ２に対して画像データ３を入力すると、ＰＣ２では、画像データ３に基づいて色情報４を生成する。ここで、ＰＣ２からプリンタ等の印刷装置５に画像データ３と色情報４とを送信し、印刷装置５により用紙表面に画像データ３を、例えば用紙裏面に色情報４をプリントしたプリント用紙６を出力する。印刷装置５により出力されたプリント用紙６の両面を画像読取装置７により読み取る。画像読取装置７により読み取られたプリント用紙６の表面情報を、画像データ８としてパーソナルコンピュータ９に送信するとともに、対応する情報であって、画像読取装置７により読み取られたプリント用紙６の裏面情報を色情報１０としてＰＣ９に送信する。【選択図】図１
2005144875.tif 000002
【特許請求の範囲】
【請求項１】
デジタル画像データに基づいてデジタルプリント画像をプリント用紙の表面に印刷する印刷手段と、
前記デジタルプリント画像の印刷時に、前記デジタル画像上において複数の特徴的な色を持つ画素を特定し、特定された前記画素の色情報と座標情報とを取得する画素情報取得手段と、
デジタル画像データをプリントした用紙の裏面に、前記画素情報取得手段により取得した前記画素の色情報と座標情報とに関連する情報を記録する画素情報記録手段と
を備えたことを特徴とするデジタル画像印刷装置。
【請求項２】
プリント用紙の表面にプリントされたデジタルプリント画像に基づいてデジタル画像データを取得するデジタル画像データ取得手段と、
前記デジタルプリント画像の印刷時に前記プリント用紙の裏面に記録された情報であって複数の特徴的な色を持つ特定された画素の色情報と座標情報とを取得する色情報及び座標情報取得手段と
を備えたことを特徴とするデジタル画像情報取得装置。
【請求項３】
請求項１記載のデジタル画像印刷装置により出力されたプリント用紙を、請求項２記載のデジタル画像情報取得装置により読み取り、読み取られたデジタル画像上から座標情報に基づいてデジタル画像上の画素を特定するステップと、
特定された前記画素が有する色情報と読み取られた色情報との差分値を算出する手段と、該差分値の算出結果に基づいて色情報を補正するための補正データを求めるステップと、
該補正データに基づいて、前記デジタル画像情報取得装置により読み取られたデジタル画像に対して画像補正処理を行う補正するステップと
を有することを特徴とするデジタル画像の再現方法。
【請求項４】
前記補正データを求めるステップは、
画像データ特徴点座標情報で表される画像データ上の画素の近傍画素値を取得し、そのうち特徴点色情報で表される特徴点の画素の座標を補正済み画像データ特徴点座標情報として決定するステップを含むことを特徴とする請求項３に記載のデジタル画像の再現方法。
【請求項５】
デジタル画像データに基づいてデジタルプリント画像を媒体に印刷する印刷手段と、
前記デジタルプリント画像の印刷時に、前記デジタル画像上における複数の特徴的な色に関する色情報と座標情報とを取得する色情報取得手段と、
デジタル画像データを印刷する際に、前記画素情報取得手段により取得した色情報と座標情報とを、前記デジタル画像データと対応付けして記録する画素情報記録手段と
を備えたことを特徴とするデジタル画像印刷装置。
【発明の詳細な説明】
【技術分野】
【０００１】
本発明は、デジタル画像に基づいて紙媒体に記録されたデジタルプリント画像の再現技術に関し、特に、経年変化による退色したデジタルプリント画像を、元のデジタルプリント画像に近い状態の色に再現する技術に関する。
【背景技術】
【０００２】
近年、デジタルカメラなど画像情報をデジタル情報として記録する手段が数多く存在するようになってきた。デジタルカメラにより撮像された画像は、メモリーカードやフロッピーディスク、ハードディスク、ＣＤＲなどのデジタル記録媒体により、デジタル情報のままの状態で記録・保管するのが一般的である。
【０００３】
このような方法に対して、従来の写真プリントと同様にデジタル画像を紙媒体へプリントしたデジタルプリント画像として画像を記録し保管する方法に関する需要も未だに高いものがある。デジタル記録媒体への記録とは異なり、紙媒体へ記録すると、記録されている画像を閲覧するための画像表示装置などを用いることなく手軽に画像の閲覧が可能であるという利点があり、加えて、画像表示装置の老朽化や陳腐化により画像の閲覧が不可能になるという不安がないという利点もある。また、磁気や電気的な作用により画像が消滅する危険性がない。このような利点があるため、紙媒体へのデジタル画像のプリントは、デジタル画像の記録手段として依然として有効な手段の一つである。
【０００４】
紙媒体へ画像を記録する場合の問題点の１つとして、記録した画像が経年変化により劣化するという問題がある。特に、紙媒体に定着したインクなどの化学成分の経年変化により退色が発生する場合が多い。紙媒体に記録された画像が退色した場合に、イメージスキャナなどにより紙媒体の画像を読み取り、人間の経験と勘とによりプリント時の色調を類推し、画像処理装置により色調補正処理を行い、劣化した画質を修正する方法がある。このような方法は、フィルムカメラからプリントされた写真やカラー書籍など、元々デジタルデータが存在しない画像をプリントしている場合には元のデータが残っていないため有効な手段といえるが、デジタル画像に基づいてプリントされた画像に関しては、画像が劣化しないデジタル記録媒体への記録方法が存在する点を考慮すると、それよりも手間がかかり作業が繁雑になり、なおかつ、補正した結果もまちまちとなるためデジタル記録媒体へ記録方法に比べて利点が少ない。
【０００５】
また、プリントされたデジタルプリント画像を、読取装置を用いて再度デジタル化する際の色再現性を向上させる技術としては、スキャナとプリンタとのカラープロファイルの相違に基づいて、色補正を行うためのキャリブレーションデータを作成し、画像読取装置により画像を再度デジタル化する際に、キャリブレーションデータに基づいて、画像を補正するものがある。（例えば、特許文献１参照）。
【０００６】
また、プリントされた画像とともに、色標本を印刷し画質を管理する技術としては、印刷する媒体に対して印刷装置の各インクを同時に印刷し、別の印刷管理用見本と比較することにより画質管理を行うがある（例えば特許文献２参照）。
【０００７】
【特許文献１】特開平７−２５４９８８号公報
【特許文献２】特開２０００−３４３６７８号公報
【発明の開示】
【発明が解決しようとする課題】
【０００８】
上記特許文献１に記載の技術は、画像読取装置とプリンタとの間に入出力特性の相違があっても、原画像の色を忠実に再現することが目的であり、プリント直後の画像を読み取り、再生する場合に効果が認められるが、プリント処理から長年経過した後の画像を再生するための技術とは異なる。
【０００９】
また、特許文献２に記載の技術は、
色情報を印刷面の余白領域に印刷しているため、写真など印刷物全体が鑑賞の対象となる場合には適用できない。また、この技術を応用して印刷物の裏面に管理用色情報を印刷する方法も考えられるが、一般的なプリント用紙は表面と裏面それぞれに印刷した場合の色再現性に相違があり、そもそも裏面にはカラー画像をプリントできない媒体が多く存在するため、裏面に印刷することによる画質管理は難しい。
【００１０】
本発明の目的は、デジタルプリント画像の経年劣化による退色を補う画像を再現するように色補正を行う色再現技術を提供することにある。
【課題を解決するための手段】
【００１１】
本発明の一観点によれば、デジタル画像データに基づいてデジタルプリント画像をプリント用紙の表面に印刷する印刷手段と、前記デジタルプリント画像の印刷時に、前記デジタル画像上において複数の特徴的な色を持つ画素を特定し、その画素の色情報と座標情報とを取得する画素情報取得手段と、デジタル画像データをプリントした用紙の裏面に、前記画素情報取得手段により取得した色情報と座標情報とを記録する画素情報記録手段と、を備えたことを特徴とするデジタル画像印刷装置が提供される。
【００１２】
本発明の他の観点によれば、プリント用紙の表面にプリントされたデジタルプリント画像に基づいてデジタル画像データを取得するデジタル画像データ取得手段と、前記デジタルプリント画像の印刷時に前記プリント用紙の裏面に記録された情報であって複数の特徴的な色を持つ特定された画素の色情報と座標情報とを取得する色情報及び座標情報取得手段とを備えたことを特徴とするデジタル画像情報取得装置が提供される。
両者を用いると、印刷時に近いデジタルプリント画像を作成することができる。
【発明の効果】
【００１３】
以上、説明したように、本発明によれば、プリント用紙にプリントした時点の画像上の特定の画素の色情報と座標情報をプリント用紙に同時に記録することにより、画像読取時に座標情報から画像データ上の画素を特定し、その画素値と記録された色情報の差分を補正することにより、プリント用紙に記録した画像の経年変化により退色を補正し、元のプリントした時点の色に近い状態で復元できる。
【００１４】
また、元の画像に関する情報が残っているため、人間の経験と勘に頼ることなく元の色調を再現することが可能である。
さらに、色情報を通常プリントされた画像を鑑賞する部分ではない、プリント用紙の裏面に記録することにより、鑑賞の妨げとなることがない。
【発明を実施するための最良の形態】
【００１５】
以下、本発明の実施の形態によるデジタルプリント画像の色再現装置について図面を参照して説明する。
【００１６】
図１は、本発明の一実施形態によるデジタル画像の色再現装置の構成例を示すブロック図である。図１に示すように、本実施の形態によるデジタルプリント画像の色再現装置は、第１の画像記憶装置１と、第１の情報処理装置（パーソナルコンピュータ）２と、印刷装置５と、画像読取装置７と、第２の情報処理装置（パーソナルコンピュータ）９と、第２の画像記憶装置１２と、を有している。
【００１７】
画像記憶装置１からパーソナルコンピュータ２に対して画像データ３を入力すると、パーソナルコンピュータ２では、画像データ３に基づいて色情報４を生成する。
ここで、パーソナルコンピュータ２からプリンタ等の印刷装置５に画像データ３と色情報４とを送信し、印刷装置５により用紙表面に画像データ３を、例えば用紙裏面に色情報４をプリントしたプリント用紙６を出力する。印刷装置５は、自動的に両面に印刷可能なものが望ましいが、手動により表面と裏面にそれぞれ印刷する装置でも良い。
【００１８】
続いて、印刷装置５により出力されたプリント用紙６の両面を画像読取装置７により読み取る。画像読取装置７により読み取られたプリント用紙６の表面情報を、画像データ８としてパーソナルコンピュータ９に送信するとともに、対応する情報であって、画像読取装置７により読み取られたプリント用紙６の裏面情報を色情報１０としてパーソナルコンピュータ９に送信する。画像読取装置７は自動的に両面の情報読み取るものが望ましいが、手動により表面と裏面を読み取る装置でも構わない。パーソナルコンピュータ９はパーソナルコンピュータ２の同じ装置であっても良いし、異なる装置であっても良い。
【００１９】
さらに、パーソナルコンピュータ９において画像読取装置７から読み取られた色情報１０を参照しながら画像データ８の画像補正（復元処理）を行い、元画像復元用の画像データ１１を生成する。生成された画像データ１１は必要に応じて画像記憶装置１２へ出力される。画像データ１１を画像記憶装置１２に送る代わりに、別の印刷装置などに出力してデジタルプリント画像を印刷しても良い。
【００２０】
尚、色情報４は、ウェブサイトのサーバＳに記憶させておき、これを必要に応じて色情報１０として取り込むようにしても良い。また、デジタルデータの記憶媒体はその形態を問わない。例えば、プリント用紙への印刷ではなく磁気データなどに記憶させてこれをプリント用紙の裏面に貼付しておいても良い。
【００２１】
図２は、図１における画像記憶装置１からパーソナルコンピュータ２を経て印刷装置５によりプリント用紙６を出力するまでの処理過程を詳細に示すデータフロー図である。
図２に示すように、画像記憶装置１３より入力された画像データ１４と、印刷装置情報１５から取得した印刷装置解像度データ１６とを、色情報解析装置１７に入力する。画像データ１４はデジタル化された画像の画素情報と、ｓＲＧＢなど装置に依存しない色空間情報とを含む。印刷装置の解像度１６は、印刷装置５（図１）の印刷能力に依存し、印刷装置５上で表現可能なデジタル画像における１画素の大きさをＰＰＩ（Pixel Per Inch）の単位で表される。
【００２２】
色情報解析装置１７においては、画像データ１４から、赤・緑・青などいくつかの代表的な色彩について、例えば彩度が最大となる画素を探索し、各色彩における最大彩度を特徴点色情報１８として出力する。また、この処理と合わせて、最大彩度となった画素の画像データ上の座標値を、印刷装置解像度１６に基づいて、プリント用紙上の物理座標に変換し、各色彩における特徴点座標情報１９として出力する。さらに、画像データ１４の色空間情報２０を出力する。
【００２３】
印刷装置２１においては、画像データ１４を入力としてプリント用紙の用紙表面に画像データを出力する。また、特徴点色情報１８と、特徴点座標情報１９と、色空間情報２０と、に関する情報を例えばOCR文字に変換した文字列として、これを用紙裏面に出力する。文字列は、認識しやすい形式であれば良く、例えば、１次元又は２次元のバーコードなどでも良い。
【００２４】
図３は、図２における色情報解析装置１７において、画像データ１４から特徴点色情報と特徴点座標情報１９とを出力するまでの処理を詳細に示すデータフロー図である。
色情報解析装置１７に入力された画像データ２３は、HSV変換２４によりHSV表色系で表されるHSV変換後画像データ２５を出力する。ここで、HSV変換後画像データ２５は、色彩、彩度、輝度の各情報により画素の色情報を表現している。HSV変換後画像データ２５の各画素について、赤色（R）、緑色（G）、青色（B）（以上、原色系）、シアン（C）、マゼンタ（M）、イエロー（Y）（以上、補色系）の各色彩を表す色彩値を定義し、画像データ上の画素のうち、例えば、各色彩の彩度が最大となる画素を探索・抽出し、当該画素の彩度値と、当該画素のデジタル画像データ上の画素座標と、を取得する。抽出の対象となる色彩は、上述の６色に限定されず、印刷装置の能力により追加又は削除しても良い。また、画像補正時の精度を高めるために、最大となる彩度値以外にいくつか中間となる彩度値についてデータ抽出を行っても良い。
【００２５】
最大彩度抽出処理について、赤色（R）を例にして説明を行う。HSV変換後画像データ２５を最大彩度抽出（R）２６に入力し、最大彩度値（R）２７を出力する。また、それと合わせて最大彩度画像座標(R)２８を出力する。以下、G/B/C/M/Y各色について同様に最大彩度と最大彩度画像座標を出力する（ステップ２９〜ステップ４３）。
また、最大彩度画像座標を求める場合には、最大彩度抽出処理により得られた最大彩度画像座標を印刷装置解像度１６で乗ずることにより、デジタル画像データ上の座標からプリント用紙上の物理座標に変換する。
【００２６】
図４は、図２における特徴点色情報１８、特徴点座標情報１９、色空間情報２０を印刷装置２１によりプリント用紙２２の裏面に出力した例を示す図である。
図４に示すように、印刷装置２１により出力されたプリント用紙４４の裏面には、OCR文字により特徴点色情報と特徴点座標情報、色空間情報がプリントされている。識別文字列４５は、当該文字がプリントされている行の情報を表す。この例では、Pは色空間、R、Y、G、C、B、Mはそれぞれ赤、イエロー、緑、シアン、青、マゼンタの特徴点色情報を表す。
【００２７】
色空間文字列４６には、プリントした画像の色空間定義を表す文字列が記載されている。この情報は、図２における色空間情報２０と等価な情報である。この例では、色空間としてsRGBが使用されていたことが示されている。
色彩値４７は、各特徴点のHSV表色形で表される色彩値を示している。
彩度値４８は、各特徴点のHSV表色形で表される彩度値を示す。この例では、各特徴点の彩度値が最大となる画素の彩度値をプリントしている。
【００２８】
X座標４９とY座標５０は、各特徴点のプリント画像上の物理座標を表す。この例では、プリントされた画像を正像で見た場合、左上を原点としたときに長辺方向をXとし、短辺方向をYとしたときの物理座標を0.001ｍｍ単位で表している。
【００２９】
図５は、図１におけるプリント用紙６を画像読取装置７に入力し、パーソナルコンピュータ９を経て画像記憶装置１２へ画像補正済みの画像を出力するまでの処理を詳細に示すデータフロー図である。
図５に示すように、プリント用紙５１の表面にプリントされた画像を画像読取装置５２へ入力し、画像データ５３を出力する。また、プリント用紙５１の裏面にプリントされた画像を画像読取装置５２へ入力し、文字データ５４を出力する。
【００３０】
文字データ５４は光学文字認識装置５５により文字認識処理を行い、特徴点座標情報５６、特徴点色情報５７、色空間情報５８を出力する。
特徴点座標情報５６から、画像データ５３の画素における座標を算出するために、画像読取装置情報５９から、画像読取装置５２が画像データ５３を読み取った際の読取解像度６０を取得する。
画像データ５３と読取解像度６０、特徴点座標情報５６及び特徴点色情報５７を、画像データ特徴点色情報取得装置６１に入力し、画像データ特徴点色情報６２を出力する。この処理により、画像プリント時に特徴点として検出された画素が画像データ５３の画素においてはどのような画素値となっているかが取得できる。
【００３１】
画像データ特徴点色情報６２と色空間情報５８と特徴点色情報５７を色情報差分検出装置６３に入力し、色情報補正テーブル６４を出力する。この処理により、プリント時点の画像データにおける画素値と、プリントされた画像を読み取った時点の、各特徴点の彩度の差分が検出でき、その差分を補正するための色情報補正テーブルが生成される。
【００３２】
画像データ５３と色情報補正テーブル６４を画像補正装置６５に入力し、補正済み画像データ６６を得る。この処理により、画像データ５３は色情報補正テーブルにより補正され、補正済み画像データ６６は、プリント時点の画像データの色味に近い状態に補正される。
【００３３】
図６は、図５における画像データ特徴点色情報取得装置６１において、画像データ５３と読み取り解像度６０と特徴点座標情報５６とから、画像データ特徴点色情報６２を出力するまでの過程を詳細に表したデータフロー図である。図６に示すように、読み取り解像度６７と特徴点座標情報６８とを座標変換６９の入力として、画像データ特徴量座標情報を出力する。ここで特徴点座標情報６８は、プリント用紙上の物理座標であり、座標変換６９において特徴点座標情報６８に対して読取解像度６７を乗じることにより、画像データ上の画素の論理座標として画像データ特徴点座標情報７０が算出されることになる。
【００３４】
画像データ７１と特徴点色情報７２と画像データ特徴点座標情報７０とを、特徴点補正処理７３の入力として補正済画像データ特徴点座標情報７４を出力する。この処理は、プリント用紙の画像読取時のずれや誤差を吸収するために行う処理であり、画像データ特徴点座標情報７０で表される画像データ７１上の画素の近傍画素値を取得し、そのうち特徴点色情報７２で表される特徴点の色彩値の彩度値が最大となる画素の座標を補正済み画像データ特徴点座標情報７４として決定する。プリント用紙裏面に記録されている色情報が、最大彩度の情報だけでなく中間彩度の情報も含まれていた場合は、近傍画素の色彩値について、彩度の平均値を算出して補正済み画像データ特徴点座標情報７４として決定する。
【００３５】
画像データ７１と補正済画像データ特徴点座標情報７４とを、特徴点色情報取得処理７５の入力として画像データ特徴点色情報７６を出力する。この処理により、画像データ７１と補正済画像データ特徴点座標情報７４で表される座標の色情報を取得する。
【００３６】
図７は、図５における色情報差分検出装置６３において、画像データ特徴点色情報６２と特徴点色情報５７と色空間情報５８とから色情報補正テーブル６４を出力するまでの処理を詳細に示すデータフロー図である。
【００３７】
図７に示すように、画像データ特徴点色情報７７と色空間情報７８とを、色空間変換処理７９の入力として色空間変換済特徴点色情報８０を出力する。この処理は画像読取装置によって読み取られた画像の色空間を、画像読取装置に依存した色空間からプリント用紙の裏面にプリントされた装置に依存しない色空間に変換し、色情報の色空間を合致させるための処理である。
【００３８】
さらに、色空間変換済特徴点色情報８０をHSV変換８１の入力として、HSV変換済特徴点色情報８２を算出する。この処理は特徴量色情報８３の表色系と色空間変換済特徴点色情報８０との表色系を合致させるために行う。
【００３９】
さらに、HSV変換済み特徴点色情報８２と特徴量色情報８３とを補正テーブル算出処理部８４に入力し、色情報補正テーブル８５を生成する。ここでは、各特徴点について特徴点色情報８３の彩度値をHSV変換済特徴点色情報８２の彩度値で乗じることにより、読取装置により読み取られた画像の彩度を、プリント時に補正する際の彩度値に復元するために必要な係数を算出することができる。
【００４０】
図８と図９とに、補正テーブル算出処理の例を表す。図８の実線で表されるグラフは、図７における特徴量色情報８３について各色彩値の彩度値をプロットしたものである。それに対して図８の破線で表されるグラフは、図７におけるHSV変換済み特徴点色情報８２各について色彩値毎の彩度値をプロットした図である。一般的に、プリント用紙にプリントされた画像は、経年劣化により彩度が減少する方向に退色する。そこで、プリント時点の各色彩値の最大彩度と、画像読取の各色彩値の最大彩度との比を算出する。その結果を図９に表す。特徴点色彩値毎の最大彩度値の比をプロットし、各点間を例えば２次曲線などにより補間し、得られた情報に基づいて補正テーブルを作成する。
【００４１】
次に、図５における画像補正装置６５において、画像データ５３と色情報補正テーブル６４を入力として補正済み画像データを出力するまでの処理を詳細に示すデータフロー図を図１０に示す。
【００４２】
図１０に示すように、まず、画像データ８６をHSV変換８７の入力としてHSV変換済み画像データ８８を入力する。この処理は、色情報補正テーブル８９の表色系と一致させるために行われる処理である。
【００４３】
さらに、HSV変換済み画像データ８８と色情報補正テーブル８９とを入力として補正演算処理９０を行い、補正済みHSV画像データ９１を出力する。補正演算処理９０では、色情報補正テーブル８９に基づいて、HSV変換済み画像データ８８の全画素値に対して色彩値毎の比率を係数として彩度値に乗じることにより、画像全体の彩度が補正される。この処理により、補正済みHSV画像データ９１はプリント時点の彩度にまで復元された画像となる。
【００４４】
さらに、補正済みHSV画像データ９１を入力としてRGB変換９２を行い、補正済み画像データ９３を出力する。この処理により、補正されたデータ表示可能なRGB表色系の画像に変換する。
【００４５】
以上、説明したように、本実施の形態によれば、プリント用紙にプリントした時点の画像上の特定の画素の色情報と座標情報をプリント用紙に同時に記録することにより、画像読取時に座標情報から画像データ上の画素を特定し、その画素値と記録された色情報の差分を補正することにより、プリント用紙に記録した画像の経年変化により退色を補正し、元のプリントした時点の色に近い状態で復元できる。また、元の画像に関する情報が残っているため、人間の経験と勘に頼ることなく元の色調を再現することが可能である。
色情報は、通常プリントされた画像を鑑賞する部分ではないプリント用紙の裏面に記録することができ、プリントされた画像を鑑賞する際に妨げとならない。
【００４６】
以上、本発明の実施の形態について説明したが、本発明はこれらに限定されるわけではなく、その要旨を逸脱することなく他の種々の態様でも実施することが可能である。例えば上記実施の形態において、特徴点と見なす色をHSV表色系における特定の色彩値を利用したが、印刷装置のインクやトナーなど、印刷装置が色を表現するための材料に適した色彩で特徴点を表すことも可能である。輝度、明度、彩度に関して総合的に判断し、劣化の度合いを加味していろ情報を再現することも可能である。また、色情報解析時に色情報再現時の特徴点補正処理を容易にする為に、画像上の周波数成分が低く色調の変動が小さい部位を特徴点とする方法を用いても良い。
【産業上の利用可能性】
【００４７】
本発明は、経時変化により画質が劣化したデジタルプリント画像を復元する際に利用でき、かつ、実際の画像とデータとが紙媒体により対応付けられているため、デジタル画像データの新しい利用形態として利用することができる。
【図面の簡単な説明】
【００４８】
【図１】本発明の一実施の形態によるプリント画像色再現装置（色情報記録装置と色情報再現装置）の概略構成を示すブロック図。
【図２】図１に示す画像記憶装置から印刷装置によりプリント用紙を出力するまでの処理の流れを示すデータフロー図である。
【図３】図２における色情報解析装置における処理の詳細を示すデータフロー図である。
【図４】図２におけるプリント用紙の裏面に出力する情報の構成例を示す図である。
【図５】図１におけるプリント用紙から画像補正済みの画像を出力するまでの処理の詳細を示すデータフロー図である。
【図６】図５における画像データ特徴点色情報取得装置内での処理の詳細を示すデータフロー図である。
【図７】図５における色情報差分検出装置内での処理の詳細を示すデータフロー図である。
【図８】補正テーブル算出処理の第１例を示す図である。
【図９】補正テーブル算出処理の第２例を示す図である。
【図１０】図５における画像補正装置内における詳細な処理の流れを示すデータフロー図である。
【符号の説明】
【００４９】
１…第１の画像記憶装置、２…第１の情報処理装置（パーソナルコンピュータ）、５…印刷装置、７…画像読取装置、９…第２の情報処理装置（パーソナルコンピュータ）、１２…第２の画像記憶装置。
【図１】
2005144875.tif 000003
【図２】
2005144875.tif 000004
【図３】
2005144875.tif 000005
【図４】
2005144875.tif 000006
【図５】
2005144875.tif 000007
【図６】
2005144875.tif 000008
【図７】
2005144875.tif 000009
【図８】
2005144875.tif 000010
【図９】
2005144875.tif 000011
【図１０】
2005144875.tif 000012